(57)【要約】【課題】効率良く衣類が乾燥できるとともに、水滴が乾燥機内に流入しない安全性の高い衣類乾燥袋を提供することを目的とする。【解決手段】温風発生手段を有した乾燥機１の吹出側に設けた温風供給ホース２に接続される接続ホース３を内部に突出して設けた乾燥袋４と、この乾燥袋４に収納され衣類５と乾燥袋４を吊り下げるハンガー６とを備え、接続ホース３を乾燥袋４の下方部の側壁に設け、温風供給ホース２を接続部７を介して着脱可能に接続したことにより、効率良く衣類５が乾燥できるとともに、水滴が乾燥機１内に流入しない安全性の高い衣類乾燥袋が得られる。【選択図】図１
2006280496.tif 000002
【特許請求の範囲】
【請求項１】
温風発生手段を有した乾燥機の吹出側に設けた温風供給ホースと、この温風供給ホースに接続される接続ホースを内部に突出して設けた乾燥袋と、この乾燥袋に収納され、衣類と前記乾燥袋を吊り下げるハンガーとを備え、前記接続ホースを前記乾燥袋の下方部の側壁に設け、前記温風供給ホースを接続部を介して着脱可能に接続した衣類乾燥袋。
【請求項２】
温風供給ホースに接続される接続ホースの接続部の位置を乾燥袋外に設けた請求項１記載の衣類乾燥袋。
【請求項３】
接続ホースの乾燥袋内に突出する長さを、乾燥袋の幅寸法の１／４以下とした請求項１または２記載の衣類乾燥袋。
【請求項４】
乾燥袋の上面中央にハンガーの挿入孔を有し、前記乾燥袋の上面に、前記挿入孔以外に少なくとも１ヶ所の排気開口部を設けた請求項１〜３いずれかに記載の衣類乾燥袋。
【請求項５】
排気開口部に防塵フィルターを設けた請求項４記載の衣類乾燥袋。
【請求項６】
防塵フィルターにアレルゲン物質を抑制する薬剤成分を含浸させてなる請求項５記載の衣類乾燥袋。
【発明の詳細な説明】
【技術分野】
【０００１】
本発明は、ハンガーに吊り下げられた衣類等の乾燥物を温風を供給して乾燥させる衣類乾燥袋に関する。
【背景技術】
【０００２】
従来、この種の衣類乾燥袋の一例として角ハンガー乾燥ケースが知られている（例えば、特許文献１参照）。
【０００３】
以下、その角ハンガー乾燥ケースについて図８を参照しながら説明する。
【０００４】
図８に示すように、上面に角ハンガーを吊るすフック１０１の通し孔１０２を設け、ケース１０３の下面に、布団乾燥機１０４の温風吹出口ホース１０５を接続し、ケース１０３の内部に吊り下げた衣類１０６を乾燥している。
【特許文献１】実開平５−９１５９６号公報（［０００１］、図２）
【発明の開示】
【発明が解決しようとする課題】
【０００５】
このような従来の角ハンガー乾燥ケースでは、布団乾燥機１０４の温風吹出口ホース１０５をケース１０３の下面に接続し、ケース１０３内に温風を吹き出して衣類１０６を乾燥しているため、複数吊り下げられた衣類１０６の中央部分に吊り下げられた衣類１０６に集中して温風が送風されることとなり、他の衣類１０６との間に乾燥むらが生じ効率が悪いという課題があり、乾燥むらを少なくして効率を良くすることが要求されている。
【０００６】
また、衣類１０６に含まれる水分が多い場合には、衣類１０６から落下した水滴が温風吹出ホース１０５を介して布団乾燥機１０４内に流入する不具合があるという課題があり、衣類から落下した水滴が乾燥器内に流入しないようにすることが要求されている。
【０００７】
本発明は、このような従来の課題を解決するものであり、効率良く衣類が乾燥できるとともに、水滴が乾燥機内に流入しない安全性の高い衣類乾燥袋を提供することを目的としている。
【課題を解決するための手段】
【０００８】
本発明の衣類乾燥袋は上記目的を達成するために、温風発生手段を有した乾燥機の吹出側に設けた温風供給ホースと、この温風供給ホースに接続される接続ホースを内部に突出して設けた乾燥袋と、この乾燥袋に収納され、衣類と前記乾燥袋を吊り下げるハンガーとを備え、前記接続ホースを前記乾燥袋の下方部の側壁に設け、前記温風供給ホースを接続部を介して着脱可能に接続したものである。
【０００９】
この手段により、衣類を効率良く乾燥させるとともに安全性の高い衣類乾燥袋が得られる。
【００１０】
また、他の手段は、温風供給ホースに接続される接続ホースの接続部の位置を乾燥袋外に設けたものである。
【００１１】
この手段により、温風供給ホースの接続が容易となる衣類乾燥袋が得られる。
【００１２】
また、他の手段は、接続ホースの乾燥袋内に突出する長さを、乾燥袋の幅寸法１／４以下としたものである。
【００１３】
この手段により、温風を乾燥袋内に広範囲に拡散して乾燥効率を高めることのできる衣類乾燥袋が得られる。
【００１４】
また、他の手段は、乾燥袋の上面中央にハンガーの挿入孔を有し、前記乾燥袋の上面に、前記挿入孔以外に少なくとも１ヶ所の排気開口部を設けたものである。
【００１５】
この手段により、乾燥むらを防ぐことができるという衣類乾燥袋が得られる。
【００１６】
また、他の手段は、排気開口部に防塵フィルターを設けたものである。
【００１７】
この手段により、糸くずや埃などが室内に拡散しないようにできる衣類乾燥袋が得られる。
【００１８】
また、他の手段は、防塵フィルターにアレルゲン物質を抑制する薬剤成分を含浸させたものである。
【００１９】
この手段により、アレルゲン物質を防塵フィルターの薬剤成分で抑制して人体に悪影響を及ぼさない衣類乾燥袋が得られる。
【発明の効果】
【００２０】
本発明によれば、衣類を効率良く乾燥させるとともに安全性が高いという効果のある衣類乾燥袋を提供できる。
【００２１】
また、温風供給ホースの接続が容易になるという効果のある衣類乾燥袋を提供できる。
【００２２】
また、乾燥むらを防ぐことができるという効果のある衣類乾燥袋を提供できる。
【００２３】
また、糸くずや埃などが室内に拡散しないようにできるという効果のある衣類乾燥機を提供できる。
【００２４】
また、アレルゲン物質を不活化させるという効果のある衣類乾燥機を提供できる。
【発明を実施するための最良の形態】
【００２５】
本発明の請求項１記載の発明は、温風発生手段を有した乾燥機の吐出側に設けた温風供給ホースと、この温風供給ホースに接続されるホースを内部に突出して設けた乾燥袋と、この乾燥袋に収納され、衣類と前記乾燥袋を吊り下げるハンガーとを備え、前記接続ホースを前記乾燥袋の下方部の側壁に設け、前記温風供給ホースを接続部を介して着脱可能に接続したものであり、乾燥袋内に突出した形状で乾燥袋の下方部の側壁に横向きの状態で接続ホースが設けられるので、接続ホースの端部から乾燥袋内に放出されている温風は、接続ホースの端部からすぐに上昇する温風と、一部の温風は接続ホースの対向位置にある乾燥袋の内面に衝突して拡散し上昇する温風が乾燥袋内に充満することとなり、乾燥袋内に吊り下げられた衣類に略均一に温風が接触し衣類を効率良く乾燥できるとともに、もし衣類に含まれる水分が水滴となって落下しても接続ホースは横向きに配置されていることにより、接続ホースを通り乾燥機側に流入することはないという作用を有する。
【００２６】
また、請求項２記載の発明は、温風供給ホースに接続される接続ホースの接続部の位置を乾燥袋外に設けたものであり、接続ホースの接続部に接続する温風供給ホースの接続が容易となるとともに、乾燥機と乾燥袋が離れていても接続が可能となり取扱いが便利になるという作用を有する。
【００２７】
また、請求項３記載の発明は、接続ホースの乾燥袋内に突出する長さを、乾燥袋の幅寸法の１／４以下としたものであり、接続ホースから乾燥袋内に送風される温風の送風方向が横向きで、また、乾燥機が一定の風速であるため、乾燥袋の大きさに合わせた接続ホースの突出量を設定することで、温風を乾燥袋内に拡散させながら広く行き渡らせることができるという作用を有する。
【００２８】
また、請求項４記載の発明は、乾燥袋の上面中央にハンガーの挿入孔を有し、前記乾燥袋の上面に、前記挿入孔以外に少なくとも１ヶ所の排気開口部を設けたものであり、乾燥袋内の温風がハンガーの挿入孔以外に設けた排気開口部からも分散して排出されるので、乾燥袋内の温風は拡散しやすくなり、衣類の乾燥むらを防ぐことができるという作用を有する。
【００２９】
また、請求項５記載の発明は、排気開口部に防塵フィルターを設けたものであり、洗濯後の衣類を乾燥したとき、衣類に付着していた糸くずや埃などが乾燥袋内に放散されても、水分を含んだ空気を排気する排気開口部に設けた防塵フィルターにより捕集されるので、糸くずや埃を含んだ空気が、室内に放散されることがなくなるという作用を有する。
【００３０】
また、請求項６記載の発明は、防塵フィルターにアレルゲン物質を抑制する薬剤成分を含浸させたものであり、防塵フィルターに捕集した埃に含まれるダニの糞や死がい、花粉などのアレルゲン物質を不活化させることができ、乾燥袋から再飛散しても悪影響を及ぼさないという作用を有する。
【００３１】
以下、本発明の実施の形態について図面を参照しながら説明する。
【００３２】
（実施の形態１）
図１〜３に示すように、温風発生手段（図示せず）を有した乾燥機１の吹出側に設けた温風供給ホース２に接続される接続ホース３を内部に突出して設けた乾燥袋４と、乾燥袋４に収納され、洗濯した衣類５と乾燥袋４を吊り下げるハンガー６とを設け、接続ホース３を乾燥袋４の下方部の側壁に横向きに設け、温風供給ホース２の接続部７を介して着脱可能に設け乾燥袋４には開閉用のチャック８を設け構成する。
【００３３】
上記構成において、乾燥機１を運転すると、乾燥機１内に設けた温風発生手段により温風が発生し、温風供給ホース２により乾燥袋４内に突出して設けられている接続ホース３内に温風が供給され、接続ホース３の端部からすぐに上昇する温風と、一部の温風は横向きの接続ホース３の対向位置にある乾燥袋４の内面に衝突して拡散し上昇する温風が乾燥袋４内に充満することとなり、乾燥袋４内に吊り下げられた衣類５に略均一に温風が接触し、衣類５を効率良く乾燥できる。
【００３４】
また、洗濯後の衣類５に含まれる水分が水滴となって落下しても、接続ホース３の端部は横向きに開口し、上向きには開口することがないので、水滴が接続ホース３を通り、接続部７を介して温風供給ホース２を通り乾燥機１内に流入するのを防ぐことができる。
【００３５】
（実施の形態２）
図４に示すように、温風供給ホース２Ａに接続される接続ホース３Ａの接続部７Ａの位置を乾燥袋４Ａの外側に設け、接続ホース３Ａの乾燥袋４Ａ内に突出する長さＬ１を乾燥袋４Ａの幅寸法Ｌ２の１／４以下に構成する。
【００３６】
上記構成において、接続ホース３Ａに設けた接続部７Ａが乾燥袋４Ａの外壁面より突出した位置に設けられているので、温風供給ホース２Ａの接続が容易にできるとともに、乾燥機（図示せず）と乾燥袋４Ａが少し離れていても接続が可能となり取扱い易くなる。
【００３７】
また、接続ホース３Ａの乾燥袋４Ａ内に突出する長さＬ１を、乾燥袋４Ａの幅寸法Ｌ２の１／４以下としたことにより、接続ホース３Ａの端部８が接続ホース３Ａを設けた側の乾燥袋４Ａの内面側に近づくこととなり、接続ホース３Ａの端部から上昇する温風が乾燥袋４Ａの一方の内面に近づき上昇し接続ホース３Ａの端部から吹き出された温風は乾燥袋４Ａの他方の内面に沿うように上昇することとなる。このように接続ホース３Ａの突出量が大きい場合に比べて、接続ホース３Ａを設けた側の温風の上昇が少なくなるのが防止されることとなり、乾燥機からの風速は一定であるため乾燥袋４Ａの大きさに合わせた接続ホース３Ａの突出量を設定することで、温風を乾燥袋４Ａ内に拡散させながら広く行き渡らせることができることとなる。
【００３８】
（実施の形態３）
図５に示すように、乾燥袋４Ｂの上面中央にハンガー６Ａの挿入孔９を設け、乾燥袋４Ｂの上面に挿入孔９以外に少なくとも１ヶ所の排気開口部１０を設け構成する。
【００３９】
上記構成において、乾燥袋４Ｂ内に送られた温風がハンガー６Ａの挿入孔９以外に設けた排気開口部１０からも分散して排出されるので、乾燥袋４Ｂ内の温風は拡散しやすくなり、衣類（図示せず）の乾燥むらを防ぐことができることとなる。
【００４０】
（実施の形態４）
図６に示すように、乾燥袋４Ｃに設けた排気開口部１０Ａに防塵フィルター１１を設け構成する。
【００４１】
上記構成において、洗濯後の衣類（図示せず）を乾燥袋４Ｃ内で乾燥したとき、衣類に付着していた糸くずや埃などが乾燥袋４Ｃ内に放散されても、水分を含んだ空気を排気する排気開口部１０Ａに設けた防塵フィルター１１により捕集されるので、糸くずや埃を含んだ空気が室内に放散されることがなくなり、室内が汚染されるのが防止でき、衛生的となるものである。
【００４２】
（実施の形態５）
図７に示すように、乾燥袋４Ｄに設けた排気開口部１０Ｂに設けられる防塵フィルター１１Ａにアレルゲン物質を抑制する薬剤成分を含浸させて構成する。
【００４３】
上記構成において、防塵フィルター１１Ａに捕集される埃に含まれるダニの糞や死がい、花粉、犬や猫のふけなどのアレルゲン物質が薬剤成分のフェノール系ポリマー・ポリフェノールにより包み込まれ不活化されることとなり、乾燥袋４Ｄから再飛散することがあっても人体へ悪影響を及ぼさなくなり、有効にアレルゲン対策を行うことができることとなる。
【産業上の利用可能性】
【００４４】
乾燥袋内に収納する衣類に変えて、外出時に使用する帽子、マフラー、手袋などを吊り下げることにより、外出用の着衣や小物の乾燥、温めおよび花粉などのアレルゲン抑制の用途に適用できる。
【図面の簡単な説明】
【００４５】
【図１】本発明の実施の形態１の衣類乾燥袋を一部破断した概略斜視図
【図２】同衣類乾燥袋の接続部を示す一部破断の斜視図
【図３】同衣類乾燥袋の接続ホースの構成を示す概略断面図
【図４】本発明の実施の形態２の衣類乾燥袋の接続ホースの構成を示す概略断面図
【図５】本発明の実施の形態３の衣類乾燥袋の外観斜視図
【図６】本発明の実施の形態４の衣類乾燥袋の排気開口部の要部詳細図
【図７】本発明の実施の形態５の衣類乾燥袋の排気開口部の要部詳細図
【図８】従来の角ハンガー乾燥ケースの断面図
【符号の説明】
【００４６】
１    乾燥機
２    温風供給ホース
２Ａ  温風供給ホース
３    接続ホース
３Ａ  接続ホース
４    乾燥袋
４Ａ  乾燥袋
４Ｂ  乾燥袋
５    衣類
６    ハンガー
６Ａ  ハンガー
７    接続部
７Ａ  接続部
９    挿入孔
１０    排気開口部
１０Ａ  排気開口部
１１    防塵フィルター
１１Ａ  防塵フィルター
【図１】
2006280496.tif 000003
【図２】
2006280496.tif 000004
【図３】
2006280496.tif 000005
【図４】
2006280496.tif 000006
【図５】
2006280496.tif 000007
【図６】
2006280496.tif 000008
【図７】
2006280496.tif 000009
【図８】
2006280496.tif 000010